(57)【要約】【課題】弾性係止アーム部を損傷し難くすることができる端子金具とコネクタハウジングとの係止構造を提供すること。【解決手段】端子金具１０の係止突起部１５と、コネクタハウジング２０の弾性係止アーム部５０と、によって端子金具１０を端子収容室３０内に係止する端子金具とコネクタハウジングとの係止構造１において、弾性係止アーム部５０は、係止位置の係止突起部１５の少なくとも一部を覆う位置まで先端の一部を延在し、かつ、弾性係止アーム部５０が弾性的に中立な状態で、係止位置にある係止突起部１５との隙間を小さくするように係止突起部１５の外形に沿った形状の係止突起対応形状面５１ａを形成してなる先端延在部５１を有し、端子金具１０が弾性係止アーム部５０に係止された状態で、端子金具１０に離脱力が作用すると、抜け止め面５０ａの下側位置であって、先端延在部５１の基端部５１ｂ近傍に前記離脱力が作用する。【選択図】図８
2015230820.tif 000002
【特許請求の範囲】
【請求項１】
端子金具の外面に突設した係止突起部と、コネクタハウジングの端子収容室内に片持ち片状に設け、前記係止突起部に当接することによって前記端子金具が前記端子収容室から離脱する方向に移動することを阻止する抜け止め面を自由端となる先端に形成した弾性係止アーム部と、によって前記端子金具を前記端子収容室内に係止する端子金具とコネクタハウジングとの係止構造において、
前記弾性係止アーム部は、
係止位置の前記係止突起部の少なくとも一部を覆う位置まで先端の一部を延在し、かつ、当該弾性係止アーム部が弾性的に中立な状態で、係止位置にある前記係止突起部との隙間を小さくするように前記係止突起部の外形に沿った形状の係止突起対応形状面を形成してなる先端延在部
を有し、
前記端子金具が前記弾性係止アーム部に係止された状態で、前記端子金具に離脱力が作用すると、前記抜け止め面の下側位置であって、前記先端延在部の基端部近傍に前記離脱力が作用する
ことを特徴とする端子金具とコネクタハウジングとの係止構造。
【請求項２】
前記係止突起対応形状面は、
前記端子収容室内での前記端子金具の移動方向に直交する前記係止突起部の断面の外形に沿った形状をなす
ことを特徴とする請求項１に記載の端子金具とコネクタハウジングとの係止構造。
【発明の詳細な説明】
【技術分野】
【０００１】
本発明は、端子金具を端子収容室内に係止する端子金具とコネクタハウジングとの係止構造に関する。
【背景技術】
【０００２】
従来、コネクタハウジングの端子収容室内に端子金具を係止する端子金具とコネクタハウジングとの係止構造は、端子金具の一部に当接することによって端子金具が端子収容室から離脱する方向に移動することを阻止する抜け止め面を自由端側となる先端に形成した弾性係止アーム部をコネクタハウジングの端子収容室内に片持ち片状に設けるものがある（例えば、特許文献１参照）。
【０００３】
特許文献１に記載のコネクタは、ビークの形状をせん断面積が最大となるように頂点の高さを自由端から基端に向かって徐々に高くすることによって、ランス（弾性係止アーム部）のサイズを小さく抑えつつ端子保持力を得ることができるようにしている。
【０００４】
ところで、端子金具とコネクタハウジングとの係止構造１００は、端子金具１０が端子収容室１１０から離脱する方向Ｄに移動する場合、弾性係止アーム部１２０の抜け止め面１２１が端子金具１０に設けた係止突起部１５に当接することによって端子金具１０が端子収容室１１０から離脱することを阻止するようにしたものがある（図１１および図１２参照）。
【０００５】
このような端子金具とコネクタハウジングとの係止構造１００は、弾性係止アーム部１２０が係止位置の係止突起部１５の下方位置まで先端の一部を延在した先端延在部１２２を有する。この先端延在部１２２は、例えば、係止解除方向に弾性係止アーム部１２０をたわませるために不図示の係止解除用の治具による操作を行う部分になる。
なお、先端延在部１２２は、係止突起部１５の下面に当接することによって弾性係止アーム部１２０のたわみ量を抑える効果もある。
【先行技術文献】
【特許文献】
【０００６】
【特許文献１】特開２０１２−４９０８１号公報
【発明の概要】
【発明が解決しようとする課題】
【０００７】
しかしながら、上述した従来の端子金具とコネクタハウジングとの係止構造１００は、係止突起部１５と先端延在部１２２との間に生じる隙間の大きい部分を利用して弾性係止アーム部１２０が矢印Ｃ方向に大きくたわみ変形した場合には（図１２参照）、弾性係止アーム部１２０のせん断破壊の軌跡Ｌに対して弾性係止アーム部１２０の厚みＴを十分に確保できなくなり、結果的に、弾性係止アーム部１２０をせん断破壊によって損傷してしまうおそれがあった。
【０００８】
本発明は、上記に鑑みてなされたものであって、弾性係止アーム部を損傷し難くすることができる端子金具とコネクタハウジングとの係止構造を提供することを目的とする。
【課題を解決するための手段】
【０００９】
上述した課題を解決し、目的を達成するために、本発明の請求項１に係る端子金具とコネクタハウジングとの係止構造は、端子金具の外面に突設した係止突起部と、コネクタハウジングの端子収容室内に片持ち片状に設け、前記係止突起部に当接することによって前記端子金具が前記端子収容室から離脱する方向に移動することを阻止する抜け止め面を自由端となる先端に形成した弾性係止アーム部と、によって前記端子金具を前記端子収容室内に係止する端子金具とコネクタハウジングとの係止構造において、前記弾性係止アーム部は、係止位置の前記係止突起部の少なくとも一部を覆う位置まで先端の一部を延在し、かつ、当該弾性係止アーム部が弾性的に中立な状態で、係止位置にある前記係止突起部との隙間を小さくするように前記係止突起部の外形に沿った形状の係止突起対応形状面を形成してなる先端延在部を有し、前記端子金具が前記弾性係止アーム部に係止された状態で、前記端子金具に離脱力が作用すると、前記抜け止め面の下側位置であって、前記先端延在部の基端部近傍に前記離脱力が作用することを特徴とする。
【００１０】
また、本発明の請求項２に係る端子金具とコネクタハウジングとの係止構造は、上記の発明において、前記係止突起対応形状面は、前記端子収容室内での前記端子金具の移動方向に直交する前記係止突起部の断面の外形に沿った形状をなすことを特徴とする。
【発明の効果】
【００１１】
本発明の請求項１に係る端子金具とコネクタハウジングとの係止構造は、前記端子金具を離脱方向に移動しようとすると、前記係止突起部と、前記係止突起対応形状面との隙間が前記係止突起対応形状面のほぼ全体にわたって小さく抑えられているため、前記弾性係止アーム部がたわみ変形しようとすると、前記係止突起対応形状面がただちに前記係止突起部に当接し、たわみ変形が大きくなることを阻止し、せん断破壊の軌跡に対して前記弾性係止アーム部の厚みを十分に確保した状態で前記係止突起部が前記抜け止め面に当接するので、弾性係止アーム部を損傷し難くすることができる。
【００１２】
本発明の請求項２に係る端子金具とコネクタハウジングとの係止構造は、前記端子金具が係止位置に移動する際、前記係止突起対応形状面がガイドとなり、前記端子金具を確実に係止位置に位置させることができる。
【図面の簡単な説明】
【００１３】
【図１】図１は、本発明の実施例に係る端子金具とコネクタハウジングとの係止構造の分解斜視図である。
【図２】図２は、（ａ）が電線の端末部に圧着した端子金具の斜視図であり、（ｂ）が端子金具を下方から視た斜視図であり、（ｃ）が端子金具の前面図であり、（ｄ）が（ｃ）の端子金具のＡ−Ａ線断面図である。
【図３】図３は、コネクタハウジングの前面図である。
【図４】図４は、図３に示したコネクタハウジングのＢ−Ｂ線断面図である。
【図５】図５は、弾性係止アーム部の先端周辺を拡大した斜視図である。
【図６】図６は、（ａ）が端子金具をセットした状態のコネクタハウジングの前面図であり、（ｂ）が（ａ）に示したコネクタハウジングの側面図である。
【図７】図７は、（ａ）が図６（ｂ）に示した端子収容室内に端子金具をセットした状態のコネクタハウジングのＤ−Ｄ線断面図であり、（ｂ）が（ａ）に示した１つの端子収容室周辺の拡大図である。
【図８】図８は、図６（ａ）に示した端子収容室内に端子金具をセットした状態のコネクタハウジングのＣ−Ｃ線断面図である。
【図９】図９は、１つの端子収容室の弾性係止アーム部と係止突起部とが係止した状態の断面図を斜めから視た図である。
【図１０】図１０は、（ａ）が図８に示した端子金具をセットした状態のコネクタハウジングの１つの端子収容室の拡大図であり、（ｂ）は（ａ）の係止突起部周辺を拡大した図である。
【図１１】図１１は、従来の端子金具とコネクタハウジングとの係止構造を説明するための図である。
【図１２】図１２は、従来の端子金具とコネクタハウジングとの係止構造を説明するための図である。
【発明を実施するための形態】
【００１４】
以下、図面を参照して、本発明に係る端子金具とコネクタハウジングとの係止構造の好適な実施例を詳細に説明する。
【実施例】
【００１５】
図１は、本発明の実施例に係る端子金具とコネクタハウジングとの係止構造１の分解斜視図である。図２は、（ａ）が電線Ｗの端末部に圧着した端子金具１０の斜視図であり、（ｂ）が端子金具１０を下方から視た斜視図であり、（ｃ）が端子金具１０の前面図であり、（ｄ）が（ｃ）の端子金具１０のＡ−Ａ線断面図である。
なお、図２では、（ｂ）−（ｄ）が端子金具１０は電線Ｗに圧着していない状態のものを示している。
図３は、コネクタハウジング２０の前面図である。図４は、図３に示したコネクタハウジング２０のＢ−Ｂ線断面図である。図５は、弾性係止アーム部５０の先端周辺を拡大した斜視図である。図６は、（ａ）が端子金具１０をセットした状態のコネクタハウジング２０の前面図であり、（ｂ）が（ａ）に示したコネクタハウジング２０の側面図である。図７は、（ａ）が図６（ｂ）に示した端子収容室３０内に端子金具１０をセットした状態のコネクタハウジング２０のＤ−Ｄ線断面図であり、（ｂ）が（ａ）に示した１つの端子収容室３０周辺の拡大図である。図８は、図６（ａ）に示した端子収容室３０内に端子金具１０をセットした状態のコネクタハウジング２０のＣ−Ｃ線断面図である。図９は、１つの端子収容室３０の弾性係止アーム部５０と係止突起部１５とが係止した状態の断面図を斜めから視た図である。図１０は、（ａ）が図８に示した端子金具１０をセットした状態のコネクタハウジング２０の１つの端子収容室３０の拡大図であり、（ｂ）は（ａ）の係止突起部１５周辺を拡大した図である。
なお、図８および図１０では、端子金具１０は電線Ｗに取り付けていない状態のものを示している。
また、本発明の実施例では説明の便宜上、図中に示すように前後、および上下方向を定義する。
【００１６】
本発明の実施例に係る端子金具とコネクタハウジングとの係止構造１は、端子金具１０の外面に突設した係止突起部１５と、コネクタハウジング２０の端子収容室３０内に片持ち片状に設け、係止突起部１５に当接することによって端子金具１０が端子収容室３０から離脱する方向に移動することを阻止する抜け止め面５０ａを自由端となる先端に形成した弾性係止アーム部５０と、によって端子金具１０を端子収容室３０内に係止するものである。
【００１７】
まず、端子金具１０について説明する。
端子金具１０は、銅、あるいは銅合金等の金属からなる板状部材を金型プレス加工等によって成形したものである。この端子金具１０は、図２に示すように、電線Ｗの端末部に圧着する圧着部１１と、電線Ｗの不図示の接続相手に接続する相手接続部１２と、圧着部１１と、相手接続部１２との間を繋ぐ繋ぎ部１６と、を有する。
【００１８】
相手接続部１２は、角筒状をなす接続本体部１３の筒内に設けられた弾性接触片１３ｄに接続相手が接触されるようになっている。この相手接続部１２は、接続相手としての雄端子が接続する雌端子を構成している。
【００１９】
接続本体部１３は、底壁１３ａと、底壁１３ａの両縁に立設する一対の側壁１３ｂ、１３ｂと、天井壁１３ｃと、によって角筒形状を構成する。
底壁１３ａは、係止開口部１４と、係止突起部１５と、を有する。
【００２０】
係止開口部１４は、弾性復元した弾性係止アーム部５０が接続本体部１３内に係止のため侵入可能に形成した開口である。
【００２１】
係止突起部１５は、係止開口部１４の前側の開口内縁面１４ａの一部を下方に向けて突出するように形成した部分である。
この係止突起部１５は、横断面を円弧状に形成することによって、弾性係止アーム部５０に摺接しながら係止位置まで移動する際に摩擦抵抗を抑えてなめらかに移動できるようになっている。
【００２２】
なお、相手接続部１２は、雌端子を構成するものを例示したが、これに限らず、接続相手に接続できる構成になっていれば、その他の端子構成であっても構わない。
【００２３】
圧着部１１は、電線Ｗの露出した導体部Ｗ１に圧着する導体圧着部１１ａと、電線Ｗの絶縁被覆部Ｗ２に圧着する被覆圧着部１１ｂと、を有する。これら導体圧着部１１ａと被覆圧着部１１ｂとの間は中間部１１ｃが連結している。
【００２４】
次に、コネクタハウジング２０について説明する。
コネクタハウジング２０は、合成樹脂等の絶縁材からなり、全体として直方体ブロック状をなしてコネクタハウジング２０の本体部分を構成するハウジング本体２１を有する。
このハウジング本体２１には、ハウジング本体２１を前後方向に貫通するように、横方向に６列、縦方向に２列の合計１２個の端子収容室３０を設けている。
なお、端子収容室３０の数は１２個に限定せず、１以上であればその他の数であっても構わない。
各端子収容室３０は、後端面に端子金具１０を挿入するための端子挿入口３０ａを設け、前端面に接続相手となる端子の端子金具１０との接続部分を挿入するための相手端子挿入口３０ｂを設けている。
【００２５】
また、各端子収容室３０の収容空間を形成する壁の底面には弾性係止アーム部５０を設けている。
弾性係止アーム部５０は、基端部から自由端となる先端に向けてなだらかに上方傾斜するように端子収容室３０内に設けている。
この弾性係止アーム部５０は、先端延在部５１を有する。
【００２６】
先端延在部５１は、係止位置の係止突起部１５の少なくとも一部を覆う位置まで先端の一部を延在し、かつ、弾性係止アーム部５０が弾性的に中立な状態で、係止位置にある係止突起部１５との隙間を小さくするように係止突起部１５の外形に沿った形状の係止突起対応形状面５１ａを形成してなる。
【００２７】
より具体的には、係止突起対応形状面５１ａは、端子収容室３０内での端子金具１０の移動方向に直交する係止突起部１５の断面の外形に沿った形状をなす。ここで、係止突起１５部は、断面の外形を円弧状に形成しているので、係止突起対応形状面５１ａは、図５、図７、および図９に示すように、係止突起部１５の外形形状である円弧に沿った形状をなしている。
このような係止突起対応形状面５１ａは、係止突起部１５の外形に沿った形状であるので、係止突起部１５との隙間に大小のばらつきが少なく、係止突起部１５に当接する部分全体にわたって隙間を小さく抑えることができる。
また、係止突起対応形状面５１ａは、端子金具１０が係止位置に移動する際、係止突起部１５が係止突起対応形状面５１ａに嵌め込まれるようになるため、端子金具１０を係止位置にガイドするガイド機能をなしている。
【００２８】
このような弾性係止アーム部５０によって、端子金具１０が弾性係止アーム部５０に係止された状態で、端子金具１０に離脱力が作用すると、抜け止め面５０ａの下側位置であって、先端延在部５１の基端部５１ｂ近傍に離脱力が作用するようになっている。
【００２９】
また、コネクタハウジング２０は、係止状態を解除するために不図示の係止解除用の治具を挿入するための治具挿入空間４０を形成している。
この治具挿入空間４０は、端子収容室３０の下側から端子収容室３０に繋がる空間であり、コネクタハウジング２０の前端に形成した治具挿入口４０ａからたわみ空間４１まで連続した空間をなしている。
【００３０】
たわみ空間４１は、端子金具１０が端子収容室３０の端子挿入口３０ａから端子収容室３０の係止位置まで移動する際、係止突起部１５が摺接することによって、弾性係止アーム部５０が中立状態から係止解除方向にたわみ変形した場合に、弾性係止アーム部５０を受け入れるための空間である。
【００３１】
次に、図１０を用いて、端子金具１０を離脱方向に移動しようとした場合の端子金具１０および弾性係止アーム部５０の動作について説明する。
端子金具１０を離脱方向（図１０（ａ）矢印Ｄ参照）に移動しようとすると、係止突起部１５と、係止突起対応形状面５１ａとの隙間が係止突起対応形状面５１ａのほぼ全体にわたって小さく抑えられているため、弾性係止アーム部５０が矢印Ｃ方向にたわみ変形しようとすると、係止突起対応形状面５１ａがただちに係止突起部１５に当接し、矢印Ｃ方向でのたわみ変形が大きくなることを阻止する。
このため、端子金具１０に離脱力が作用すると、抜け止め面５０ａの下側位置であって、先端延在部５１の基端部５１ｂ近傍に離脱力が作用する。すなわち、係止突起部１５が抜け止め面５０ａの下側によった位置で抜け止め面５０ａに当接することができる。
これにより、せん断破壊の軌跡（図１０（ｂ）破線Ｌ参照）に対して弾性係止アーム部５０の厚みを十分に確保した状態で係止突起部１５が抜け止め面５０ａに当接する。
【００３２】
本発明の実施例に係る端子金具とコネクタハウジングとの係止構造１は、端子金具１０を離脱方向Ｄに移動しようとすると、係止突起部１５と、係止突起対応形状面５１ａとの隙間が係止突起対応形状面５１ａのほぼ全体にわたって小さく抑えられているため、弾性係止アーム部５０がたわみ変形しようとすると、係止突起対応形状面５１ａがただちに係止突起部１５に当接し、たわみ変形が大きくなることを阻止し、せん断破壊の軌跡に対して弾性係止アーム部５０の厚みを十分に確保した状態で係止突起部１５が抜け止め面５０ａに当接するので、弾性係止アーム部５０を損傷し難くすることができる。
【００３３】
また、本発明の実施例に係る端子金具とコネクタハウジングとの係止構造１は、端子金具１０が係止位置に移動する際、係止突起対応形状面５１ａがガイドとなり、端子金具１０を確実に係止位置に位置させることができる。
【００３４】
また、本発明の実施例に係る端子金具とコネクタハウジングとの係止構造１は、端子金具１０が係止位置に移動する際に係止突起部１５が端子収容室３０の内壁に接触する場合、係止突起部１５の円弧状の外形である外面が接触されるため、端子収容室３０の内壁になめらかに摺接しながら移動することができ、結果的に、端子金具１０を端子収容室３０の内壁との摩擦抵抗を抑えながら係止位置まで移動することができる。
【００３５】
なお、本発明の実施例に係る端子金具とコネクタハウジングとの係止構造１は、係止突起部１５が断面の外形を円弧状に形成するものを例示したが、これに限らず、端子金具１０の外面に突設したものであれば、その他の形状であっても構わない。
【００３６】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００３７】
１        端子金具とコネクタハウジングとの係止構造
１０      端子金具
１１      圧着部
１１ａ    導体圧着部
１１ｂ    被覆圧着部
１１ｃ    中間部
１２      相手接続部
１３      接続本体部
１３ａ    底壁
１３ｂ    側壁
１３ｃ    天井壁
１３ｄ    弾性接触片
１４      係止開口部
１４ａ    開口内縁面
１５      係止突起部
１６      繋ぎ部
２０      コネクタハウジング
２１      ハウジング本体
３０      端子収容室
３０ａ    端子挿入口
３０ｂ    相手端子挿入口
４０      治具挿入空間
４１      たわみ空間
５０      弾性係止アーム部
５０ａ    抜け止め面
５１      先端延在部
５１ａ    係止突起対応形状面
５１ｂ    基端部
Ｗ        電線
Ｗ１      導体部
Ｗ２      絶縁被覆部
【図１】
2015230820.tif 000003
【図２】
2015230820.tif 000004
【図３】
2015230820.tif 000005
【図４】
2015230820.tif 000006
【図５】
2015230820.tif 000007
【図６】
2015230820.tif 000008
【図７】
2015230820.tif 000009
【図８】
2015230820.tif 000010
【図９】
2015230820.tif 000011
【図１０】
2015230820.tif 000012
【図１１】
2015230820.tif 000013
【図１２】
2015230820.tif 000014